(57)【要約】【課題】ローラの高さ調整を効率良く且つ軽い操作力で行うことができる補助ローラ台を提供すること。【解決手段】地面或は作業台上に載置固定される基盤部２と、ローラ７を回転可能に支持するローラ枠９と、該ローラ枠９を昇降可能に支持する交差リンク１７を備える昇降機構４を有し、ねじ軸１２に設けられた操作部を回転操作して前記ローラ枠９を昇降動させることによって前記ローラ７の高さ位置を調整する補助ローラ台１において、中心部に溝状の凹部３０ｂが形成された操作用アダプタ３０を前記操作部の外周に嵌着する。【選択図】図１
2007045081.tif 000002
【特許請求の範囲】
【請求項１】
地面或は作業台上に載置固定される基盤部と、ローラを回転可能に支持するローラ枠と、該ローラ枠を昇降可能に支持する交差リンクを備える昇降機構を有し、ねじ軸に設けられた操作部を回転操作して前記ローラ枠を昇降動させることによって前記ローラの高さ位置を調整する補助ローラ台において、
中心部に溝状の凹部が形成された操作用アダプタを前記操作部の外周に嵌着したことを特徴とする補助ローラ台。
【請求項２】
前記操作用アダプタに形成された凹部は、十字溝、四角溝又は六角溝で構成されることを特徴とする請求項１記載の補助ローラ台。
【請求項３】
十字溝、四角溝又は六角溝で構成される前記凹部は、プラスドライバ、六角ドライバ又は四角ビットが嵌合する形状を有していることを特徴とする請求項２記載の補助ローラ台。
【請求項４】
前記操作用アダプタの前記操作部の外周部が嵌合する内周部に凸部を形成したことを特徴とする請求項１〜３の何れかに記載の補助ローラ台。
【請求項５】
前記凸部は半円形断面を有し、その突出量は０．５〜１．０ｍｍに設定されていることを特徴とする請求項４記載の補助ローラ台。
【発明の詳細な説明】
【技術分野】
【０００１】
本発明は、補助ローラ台に関するもので、長尺の被切断材を安定した状態で精度良く切断可能とするためのローラの高さ調整を効率良く且つ軽い操作力で行うことができる補助ローラ台に関するものである。
【背景技術】
【０００２】
従来の補助ローラ台の一例を図９〜図１１に基づいて説明する。
【０００３】
図９は従来の補助ローラ台の斜視図、図１０は同側面図、図１１は同正面図であり、従来の補助ローラ台１０１は、ローラ１０７を支持するローラ枠１０９をＸ字状の交差リンク１１７を用いて支持し、この交差リンク１１７の下端部を連結した雌ねじ部に雄ねじ部を有するねじ軸１１２を螺合し、このねじ軸１１２の端部にダイヤル等の操作部１１３を設け、この操作部１１３を手動操作で回転させることによって、ねじ軸１１２を介して交差リンク１１７を開閉させてローラ枠１０９をローラ１０７と共に昇降させるようになっている（特許文献１参照）。
【特許文献１】特開平１１−０５８３０９号公報
【発明の開示】
【発明が解決しようとする課題】
【０００４】
図９〜図１１に示した上記従来の補助ローラ台１０１では、ローラ枠１０９を昇降させるとき、手で操作部１１３を回転させてローラ枠１０９を昇降させていたが、操作部１１３が地面或は作業台に近い位置にあるために該操作部１１３を回転させる作業が容易でないという欠点があった。又、手で操作部１１３を回転させてローラ枠１０９を所定の高さ位置まで昇降させるには時間が掛かるという欠点もあった。
【０００５】
本発明は上記問題に鑑みてなされたもので、その目的とする処は、ローラの高さ調整を効率良く且つ軽い操作力で行うことができる補助ローラ台を提供することにある。
【課題を解決するための手段】
【０００６】
上記目的を達成するため、請求項１記載の発明は、地面或は作業台上に載置固定される基盤部と、ローラを回転可能に支持するローラ枠と、該ローラ枠を昇降可能に支持する交差リンクを備える昇降機構を有し、ねじ軸に設けられた操作部を回転操作して前記ローラ枠を昇降動させることによって前記ローラの高さ位置を調整する補助ローラ台において、中心部に溝状の凹部が形成された操作用アダプタを前記操作部の外周に嵌着したことを特徴とする。
【０００７】
請求項２記載の発明は、請求項１記載の発明において、前記操作用アダプタに形成された凹部は、十字溝、四角溝又は六角溝で構成されることを特徴とする。
【０００８】
請求項３記載の発明は、請求項２記載の発明において、十字溝、四角溝又は六角溝で構成される前記凹部は、プラスドライバ、六角ドライバ又は四角ビットが嵌合する形状を有していることを特徴とする。
【０００９】
請求項４記載の発明は、請求項１〜３の何れかに記載の発明において、前記操作用アダプタの前記操作部の外周部が嵌合する内周部に凸部を形成したことを特徴とする。
【００１０】
請求項５記載の発明は、請求項４記載の発明において、前記凸部は半円形断面を有し、その突出量は０．５〜１．０ｍｍに設定されていることを特徴とする。
【発明の効果】
【００１１】
本発明によれば、ローラを昇降動させるためにねじ軸を回転させるには、手で操作部を回転させることなく、手持ちのプラスドライバや六角ドライバ、締付用電動工具の先端に取り付けられたプラスビット、四角ビット、六角ビットを操作用アダプタの凹部の何れかに嵌め込み、プラスドライバや六角ドライバ、或は締付用電動工具によって操作部を回転させてローラを小さな操作力で容易に昇降動させ、該ローラの高さ調整を短時間で効率良く行うことができる。
【発明を実施するための最良の形態】
【００１２】
以下に本発明の実施の形態を添付図面に基づいて説明する。
【００１３】
図１は本発明に係る補助ローラ台の斜視図、図２は同側面図、図３は同平面図、図４は同正面図、図５は図３のＢ−Ｂ線拡大断面図、図６は図５の操作部部分の拡大断面図、図７は図６の矢視Ｄ方向の図、図８（ａ）〜（ｃ）は図３の矢視Ａ方向の図である。
【００１４】
本発明に係る補助ローラ台１は、図１に示すように、地面或は不図示の作業台上に載置固定される基盤部２と、棒材等を載せる支持部３と、この支持部３を昇降可能に支持するパンタグラフ式の昇降機構４を備えている。
【００１５】
上記基盤部２は、矩形プレート状の基盤５上に矩形枠状の基枠６を溶接により一体に取り付けて構成されている。又、前記支持部３は、基盤５の上方を水平に延び、その上に不図示の棒材等を載せるローラ７と、このローラ７の周囲を囲む矩形枠状のローラ枠９とで構成されており、ローラ枠９にはローラ７の軸８の長さ方向両端が回転可能に支持されている。ここで、ローラ７は、軸８に沿って軸方向に移動可能に支持されており、軸８の両端部にはコイルバネ１０が嵌装され、ローラ７が軸８に沿って軸方向に僅かに移動し得るよう構成されている。
【００１６】
又、ローラ枠９の外周側には、図１及び図３に示すように、一端が開口する平面視コ字状の上部枠１１がローラ枠９に沿ってローラ７の軸方向に移動可能に嵌合保持されている。そして、ローラ枠９と上部枠１１のローラ７の軸方向と直交するそれぞれの枠部９ａ，１１ａにはねじ軸１２が回転可能に螺合支持されており、このねじ軸１２の外端部にはダイヤル状の操作部１３が結合されている。従って、この操作部１３を回転操作してねじ軸１２を回転させれば、該ねじ軸１２に螺合する上部枠１１がローラ枠９に沿ってローラ７の軸方向に移動する。
【００１７】
他方、前記昇降機構４は、外側及び内側の２本のリンク１４，１５をＸ字状に交差させ、その交差部をボルト１６で開閉可能に枢着して成る１組の交差リンク１７で構成されており、この交差リンク１７は、ローラ枠９のローラ７の周面両側位置にそれぞれ１組ずつ配置されている。
【００１８】
ここで、外側のリンク１４の一端部は、ローラ７の軸方向の一端側において基盤部２の基枠６にボルト１８で回転可能に結合されている。又、外側のリンク１４の他端部は、ローラ７の軸方向の他端側において上部枠１１にボルト１９で回転可能に結合されるとともに、ボルト１９をローラ枠９に形成された長孔２０に嵌合させることにより回転可能且つ水平移動可能に結合されている。
【００１９】
内側のリンク１５の一端部は、ローラ７の軸方向の一端側においてローラ枠９にボルト２１で回転可能に結合されるとともに、ボルト２１を上部枠１１に形成された長孔２２に嵌合させることにより回転可能且つ水平移動可能に結合されている。又、内側のリンク１５の他端部は、ローラ７の軸方向の他端側において基盤部２の基枠６に形成された長孔２３にボルト２４を嵌合させることにより回転可能且つ水平移動可能に結合されている。
【００２０】
以上のように構成された補助ローラ台１において、操作部１３を手動で回転操作してねじ軸１２を回転させると、該ねじ軸１２に螺合する上部枠１１がローラ枠９に沿ってローラ７の軸方向に移動する。この上部枠１１の移動により交差リンク１７のリンク１４，１５が開閉してローラ枠９及び上部枠１１を介してローラ７が水平状態を保って昇降動し、これによってローラ７の高さ位置が調整される。
【００２１】
ところで、本実施の形態では、操作部１３の外周部に補助ローラ操作用アダプタ３０が嵌め込まれている。この操作用アダプタ３０は、図７に示すように、その内周部の形状が操作部１３の略五角形の外形に総う形状を成しており、この内周部を操作部１３の外周部に嵌め込むことによって操作部１３に被着される。そして、この操作用アダプタ３０の外表面の中心部には、図８（ａ）に示す十字溝状の凹部３０ａ、図８（ｂ）（図１、図４〜図６）に示す矩形溝状の凹部３０ｂ、或は図８（ｃ）に示す六角溝状の凹部３０ｃが形成されている。
【００２２】
図６に操作用アダプタ３０の拡大断面を示すが、該操作用アダプタ３０の開口部に近い内周面には凸部３１が突設されており、この操作用アダプタ３０を操作部１３に取り付けたときに凸部３１が操作部１３の端面に引っ掛かるため、該操作用アダプタ３０が回転中に外れるという不具合が発生することはない。尚、凸部３１は操作用アダプタ３０の内周の全周に亘って形成されており、その断面形状は半円であって、突出量は０．５〜１．０ｍｍに設定されている。
【００２３】
従って、本実施の形態においては、ローラ７を昇降動させるためにねじ軸１２を回転させるには、手で操作部１３を回転させることなく、手持ちのプラスドライバや六角ドライバ、締付用電動工具の先端に取り付けられたプラスビット、四角ビット、六角ビットを操作用アダプタ３０の凹部３０ａ，３０ｂ又は３０ｃの何れかに嵌め込み、プラスドライバや六角ドライバ、或は締付用電動工具によって操作部１３を回転させてローラ７を小さな操作力で容易に昇降動させ、該ローラ７の高さ調整を短時間で効率良く行うことができる。
【００２４】
尚、図８（ａ）に示す十字溝状の凹部３０ａはプラスねじＮｏ. １〜Ｎｏ．３用、図８（ｂ）に示す矩形溝状の凹部３０ｂはロバートソンＮｏ．１〜Ｎｏ．３用、図８（ｃ）に示す六角溝状の凹部３０ｃは六角二面幅４〜１４ｍｍの幅にそれぞれ形成されており、操作用アダプタ３０は、使用する先端工具の形状に応じて操作部１３に対して容易に取り付け及び取り外しができる。
【図面の簡単な説明】
【００２５】
【図１】本発明に係る補助ローラ台の斜視図である。
【図２】本発明に係る補助ローラ台の側面図である。
【図３】本発明に係る補助ローラ台の平面図である。
【図４】本発明に係る補助ローラ台の正面図である。
【図５】図３のＢ−Ｂ船拡大断面図である。
【図６】図５の操作部部分の拡大断面図である。
【図７】図６の矢視Ｄ方向の図である。
【図８】（ａ）〜（ｃ）は図３の矢視Ａ方向の図である。
【図９】従来の補助ローラ台の斜視図である。
【図１０】従来の補助ローラ台の平面図である。
【図１１】従来の補助ローラ台の正面図である。
【符号の説明】
【００２６】
１        補助ローラ台
２        基盤部
３        支持部
４        昇降機構
５        基盤
６        基枠
７        ローラ
８        軸
９        ローラ枠
１０      コイルバネ
１１      上枠部
１２      ねじ軸
１３      操作部
１４，１５    リンク
１６      ボルト
１７      交差リンク
１８，１９    ボルト
２０      長孔
２１      ボルト
２２，２３    長孔
２４      ボルト
３０      補助ローラ操作用アダプタ
３０ａ〜３０ｃ  凹部
３１      凸部
【図１】
2007045081.tif 000003
【図２】
2007045081.tif 000004
【図３】
2007045081.tif 000005
【図４】
2007045081.tif 000006
【図５】
2007045081.tif 000007
【図６】
2007045081.tif 000008
【図７】
2007045081.tif 000009
【図８】
2007045081.tif 000010
【図９】
2007045081.tif 000011
【図１０】
2007045081.tif 000012
【図１１】
2007045081.tif 000013